(57)【要約】【課題】本考案は、指挿通用孔を穿設する際に団扇本体から切り取られる部分に印刷部を設け、団扇本体から切り取られて得られた小片を所望機能を有する券として用いることができるようにして資源の有効利用を図った団扇を提供する。【解決手段】本考案の団扇Ａは、団扇本体１の一端部に指挿通用孔Ａ１を形成するための枠状切込線１１が形成され、上記枠状切込線１１で囲まれた部分を該枠状切込線１１に沿って切り取ることによって指挿通用孔Ａ１を穿設可能に構成していると共に、この枠状切込線１１で囲まれた部分に所望内容を記載した印刷部１２が形成されており、上記団扇本体１から上記枠状切込線１１に沿って切り取られた小片Ａ２は上記印刷部１２の内容に応じた券として用いることができるように構成されているので、指挿通用孔Ａ１を団扇本体１に穿設する際に生じた小片Ａ２を所望機能を有する券として用いて資源の有効活用を図ることができる。【選択図】　　図１
0003098260.tif 000002
【実用新案登録請求の範囲】
【請求項１】
団扇本体の一端部に指挿通用孔を形成するための枠状切込線が形成され、上記枠状切込線で囲まれた部分を該枠状切込線に沿って切り取ることによって指挿通用孔を穿設可能に構成していると共に、この枠状切込線で囲まれた部分に所望内容を記載した印刷部が形成されており、上記団扇本体から上記枠状切込線に沿って切り取られた小片は上記印刷部の内容に応じた券として用いることができるように構成されていることを特徴とする団扇。
【請求項２】
団扇本体に記載した図柄や文字の一部を枠状切込線内に跨がらせた状態に描いていることを特徴とする請求項１に記載の団扇。
【考案の詳細な説明】
【０００１】
【考案の属する技術分野】
本考案は、指挿通用孔を形成する際に生じる小片を所望機能を有する券として用いることができるように構成した団扇に関する。
【０００２】
【従来の技術】
従来から夏季に暑さをしのぐために団扇が汎用されている。このような団扇として、特許文献１には、正面円形状の厚紙から形成された団扇本体の一端部にその両面間に亘って指挿通用孔を穿設してなる団扇が提案されており、この指挿通用孔内に親指を挿通させることによって団扇を支持して用いられる。
【０００３】
そして、上記団扇は、その製造工程において団扇本体に予め指挿通用孔を穿設することによって形成されており、団扇本体に指挿通用孔を穿設する際に生じる小片は廃棄処分するしかなく、資源の有効利用が求められていた。
【０００４】
【特許文献１】
登録実用新案第３０３５４０５号公報
【０００５】
【考案が解決しようとする課題】
本考案は、指挿通用孔を穿設する際に団扇本体から切り取られる部分に印刷部を設け、団扇本体から切り取られて得られた小片を所望機能を有する券として用いることができるようにして資源の有効利用を図った団扇を提供する。
【０００６】
【課題を解決するための手段】
請求項１に記載の団扇は、団扇本体の一端部に指挿通用孔を形成するための枠状切込線が形成され、上記枠状切込線で囲まれた部分を該枠状切込線に沿って切り取ることによって指挿通用孔を穿設可能に構成していると共に、この枠状切込線で囲まれた部分に所望内容を記載した印刷部が形成されており、上記団扇本体から上記枠状切込線に沿って切り取られた小片は上記印刷部の内容に応じた券として用いることができるように構成されていることを特徴とする。
【０００７】
又、請求項２に記載の団扇は、請求項１に記載の団扇において、団扇本体に記載した図柄や文字の一部を枠状切込線内に跨がらせた状態に描いていることを特徴とする。
【０００８】
【作用】
本考案の団扇は、その団扇本体における枠状切込線で囲まれた部分に所望内容を有する印刷部が形成されており、この枠状切込線から切り取られて得られた小片は、印刷部の内容に応じた所望機能を有する券として再利用することができ、資源の再利用を図ることができる。
【０００９】
【考案の実施の形態】
本考案の団扇の一例を図面を参照しつつ説明する。団扇Ａの団扇本体１は、図１及び図２に示したように、一定厚みを有する正面円形状の厚紙から形成されている。なお、団扇本体１の形状は、正面円形状に限らず、例えば、動物の形状に模ったものや、団扇本体の表面に描いたものに対応させた形状に模ったものであってもよい。
【００１０】
そして、団扇本体１の一端部には、親指が挿通可能な程度の大きさを有する指挿通用孔Ａ１を形成するための正面円形状の枠状切込線１１が両面間に亘って形成されている。更に、この枠状切込線１１で囲まれた団扇本体１部分には所望内容を記載した印刷部１２が記載され、図１では、ドリンク（飲料物）の割引内容を記載した印刷部１２が記載されており、団扇本体１から枠状切込線１１に沿って切り取られて得られた小片Ａ２は、割引券として用いることができるように構成されている（図３参照）。
【００１１】
なお、この印刷部１２の内容については、特に限定されず、例えば、印刷部１２を景品の引き換えの内容として小片Ａ２を引換券としたり、或いは、印刷部１２を抽選番号を記載したものとして抽選券として用いることができるようにしてもよく、印刷部１２の内容は適宜決められればよい。
【００１２】
又、図１及び図２に示したように、上記団扇本体１の表裏面或いは表裏面のうちの何れか一方には、上記枠状切込線１１で囲まれた団扇本体１部分に記載された印刷部１２の内容に関連する図柄や文字１３が記載されていることが好ましく、このように団扇本体１に印刷部１２の内容に関連する図柄や文字１３を記載しておくことによって、印刷部１２の内容について興味をかきたてて、小片Ａ２の使用の喚起を図ることができる。なお、印刷部１２の内容と図柄や文字１３の内容とは関連を有している必要はない。
【００１３】
更に、図２に示したように、団扇本体１の表裏面或いは表裏面のうちの何れか一方に記載された図柄や文字１３の一部１３ａ　が、枠状切込線１１で囲まれた団扇本体１部分に跨がった状態に記載しておいてもよい。
【００１４】
このように、団扇本体１に描いた図柄や文字１３の一部１３ａ　が枠状切込線１１内に跨がった状態に記載することにより、図４に示したように、団扇本体１から切り取った小片Ａ２に団扇本体１の図柄や文字１３の一部が描かれた状態とすることができ、団扇本体１の図柄や文字１３を団扇本体１の正確な位置に記載しておくことによって、小片Ａ２の特定位置に所定の図柄や文字１３ａ　が表れ、この図柄や文字１３ａの表れ方をチェックするなどして偽造などの不正行為を発見することができる。
【００１５】
又、枠状切込線１１に沿って団扇本体１部分を切り取って形成された指挿通用孔Ａ１の開口縁部を含めた団扇本体１部分、特に、指挿通用孔Ａ１の開口一側縁とこれに対向する団扇本体１の外周縁との間の団扇本体１部分１ａに合成樹脂などを含浸させたり或いは補強材（図示せず）を積層一体化させることによって団扇本体１の強度を向上させておくことにより、指挿通用孔Ａ１に親指を挿通して団扇Ａを使用した際に団扇本体部分１ａが破損するのを未然に防止して長期間に亘って団扇Ａを安定的に使用することができる（図５参照）。
【００１６】
次に、上記団扇Ａの使用要領について説明する。先ず、図５に示したように、団扇Ａの一端部に形成された枠状切込線１１に沿ってこの枠状切込線１１で囲まれた団扇本体１部分を団扇本体１から切り取って指挿通用孔Ａ１を団扇本体１の両面間に亘って貫通した状態に形成し、図６に示したように、この指挿通用孔Ａ１に親指Ｔを挿通して団扇Ａを支持して扇ぐことによって風を起こして暑さをしのぐことができる。
【００１７】
一方、指挿通用孔Ａ１を形成するために枠状切込線１１に沿って切り取られた小片Ａ２には印刷部１２が記載されており、この小片Ａ２は印刷部１２の内容に応じた券、例えば、割引券、景品引換券、抽選券などとして用いることができ、従来であれば、団扇の製造工程において製造屑として処理されていたものを所望の機能を持った券として有効活用することができ、資源の再利用を促進することができる。
【００１８】
しかも、小片Ａ２の両面或いは表裏面の何れか一方に、団扇本体１に描かれた図柄や文字１３の一部１３ａ　を描いておき、小片Ａ２の表面に描かれた図柄や文字１３ａ　の位置や形状をチェックすることにより偽造などの不正行為の発見を図ることができる。
【００１９】
【考案の効果】
請求項１に記載の団扇は、団扇本体の一端部に指挿通用孔を形成するための枠状切込線が形成され、上記枠状切込線で囲まれた部分を該枠状切込線に沿って切り取ることによって指挿通用孔を穿設可能に構成していると共に、この枠状切込線で囲まれた部分に所望内容を記載した印刷部が形成されており、上記団扇本体から上記枠状切込線に沿って切り取られた小片は上記印刷部の内容に応じた券として用いることができるように構成されていることを特徴とするので、指挿通用孔を団扇本体に穿設する際に生じた小片を所望機能を有する券として用いて資源の有効活用を図ることができる。
【００２０】
又、請求項２に記載の団扇は、請求項１に記載の団扇において、団扇本体の表面に記載した図柄の一部を枠状切込線内に描いていることを特徴とするので、団扇本体から枠状切込線に沿って切り取られて得られた小片に描かれた図柄や文字の表れ方をチェックすることによって偽造を発見をすることができ、小片の適性な利用の促進を図ることができる。
【図面の簡単な説明】
【図１】本考案の団扇を示した正面図である。
【図２】図１の団扇を示した背面図である。
【図３】小片を正面側見た斜視図である。
【図４】図３の小片を背面側から見た斜視図である。
【図５】団扇本体に指挿通用孔を形成した状態を示した正面図である。
【図６】本考案の団扇の使用状態を示した斜視図である。
【符号の説明】
１　団扇本体
１１　枠状切込線
１２　印刷部
１３　図柄や文字
Ａ　団扇
Ａ１　指挿通用孔
Ａ２　小片
【図１】
0003098260.tif 000003
【図２】
0003098260.tif 000004
【図３】
0003098260.tif 000005
【図４】
0003098260.tif 000006
【図５】
0003098260.tif 000007
【図６】
0003098260.tif 000008